(57)【要約】【課題】本体を天井裏等からアンカーボルトで吊下げた場合でも、締結力による本体の撓みを抑制することができる照明装置を提供する。【解決手段】照明装置１００は、本体１０、電源部２０、光拡散性を有する透光カバー、センタカバー、フレーム３２などを備える。本体１０は、金属製の固定板１１、固定板１１の縁辺に設けられた側板１２などを有する。固定板１１の中央部には、アンカーボルト１を取り付けるための取付孔２を形成してある。固定板１１の裏面には、電源部２０を取り付けてある。電源部２０の長手方向（仮想直線Ｍ）は、各取付孔２を結ぶ仮想直線Ｌと略直交させてある。【選択図】図１
2014089882.tif 000002
【特許請求の範囲】
【請求項１】
光源が実装された基板と、表面に該基板が固定された固定板を有する本体とを備える照明装置において、
前記固定板は、
前記本体を吊下げる吊下部材に締結して取り付けるための一対の取付孔を有し、
該一対の取付孔を結ぶ仮想直線に略直交する方向に、締結力による前記固定板の撓みを抑制すべく所要の寸法を有する抑制部を該固定板に設けてあることを特徴とする照明装置。
【請求項２】
前記抑制部は、
前記固定板の前記一対の取付孔の間に設けられていることを特徴とする請求項１に記載の照明装置。
【請求項３】
前記抑制部は、
前記光源に電力を供給する電源回路と、
該電源回路を収容し、前記寸法を有する筐体と
を備えることを特徴とする請求項１又は請求項２のいずれか１項に記載の照明装置。
【請求項４】
前記抑制部は、
前記固定板の裏面に設けてあることを特徴とする請求項１から請求項３までのいずれか１項に記載の照明装置。
【請求項５】
前記一対の取付孔を間にして対向させた状態で、前記仮想直線に平行に前記固定板の表面に設けた第２の抑制部を備えることを特徴とする請求項１から請求項４までのいずれか１項に記載の照明装置。
【発明の詳細な説明】
【技術分野】
【０００１】
本発明は、アンカーボルト等の吊下部材により吊下げられる照明装置に関する。
【背景技術】
【０００２】
住宅の室内用の照明装置としては、従来、白熱電球、蛍光灯などの光源を備えるものが用いられている。一方で、近年、発光ダイオード（ＬＥＤ）の高輝度化に伴い、白熱電球や蛍光灯などの光源に代えて、低消費電力、長寿命等の特性を有するＬＥＤが照明装置の光源として用いられるようになりつつある。
【０００３】
このような照明装置では、光源にＬＥＤを採用することにより、照明装置本体を薄いパネル状にして軽量化を図ることができる。そして、例えば、天井面に設けられた取付孔に照明装置本体を埋め込むとともに、天井裏から吊り下げられたアンカーボルト等に固定して照明装置を設置することができる。
【０００４】
例えば、ＬＥＤを配設した発光パネル、発光パネルを内周側に配設して支持する本体枠、本体枠を内周側に配設するとともに本体枠の一端部を枢支する支持枠、ＬＥＤを点灯させる点灯装置などを備え、天井裏の吊りボルトにより吊下げられて設置する照明装置が開示されている（特許文献１参照）。
【先行技術文献】
【特許文献】
【０００５】
【特許文献１】特開２０１０−１５３３１４号公報
【発明の概要】
【発明が解決しようとする課題】
【０００６】
しかし、特許文献１の照明装置は、支持枠（本体）の対向する２つの枠体の中央部それぞれに吊りボルト（アンカーボルト）を固定しているので、吊りボルトのナットを締め付けることにより、枠体の中央部が天井裏の方へ付勢され、締結力により枠体が撓むおそれがある。特に、軽量化や薄型化等の理由で、ＬＥＤを配設した発光パネルを直接支持枠に固定する構成を採用した場合には、枠体の撓みに応じてＬＥＤを実装した基板も撓み、照明装置の故障の原因となる可能性がある。
【０００７】
本発明は斯かる事情に鑑みてなされたものであり、照明装置(本体)を天井裏等からアンカーボルトで吊下げた場合でも、締結力による本体の撓みを抑制することができる照明装置を提供することを目的とする。
【課題を解決するための手段】
【０００８】
本発明に係る照明装置は、光源が実装された基板と、表面に該基板が固定された固定板を有する本体とを備える照明装置において、前記固定板は、前記本体を吊下げる吊下部材に締結して取り付けるための一対の取付孔を有し、該一対の取付孔を結ぶ仮想直線に略直交する方向に、締結力による前記固定板の撓みを抑制すべく所要の寸法を有する抑制部を該固定板に設けてあることを特徴とする。
【０００９】
本発明に係る照明装置は、前記抑制部は、前記固定板の前記一対の取付孔の間に設けられていることを特徴とする。
【００１０】
本発明に係る照明装置は、前記抑制部は、前記光源に電力を供給する電源回路と、該電源回路を収容し、前記寸法を有する筐体とを備えることを特徴とする。
【００１１】
本発明に係る照明装置は、前記抑制部は、前記固定板の裏面に設けてあることを特徴とする。
【００１２】
本発明に係る照明装置は、前記一対の取付孔を間にして対向させた状態で、前記仮想直線に平行に前記固定板の表面に設けた第２の抑制部を備えることを特徴とする。
【発明の効果】
【００１３】
本発明によれば、本体を天井裏等からアンカーボルトで吊下げた場合でも、締結力による本体の撓みを抑制することができる。
【図面の簡単な説明】
【００１４】
【図１】実施の形態１の照明装置の構成の一例を背面側から見た外観斜視図である。
【図２】実施の形態１の照明装置の構成の一例を正面側から見た外観斜視図である。
【図３】実施の形態１の照明装置の構成の一例を示す分解斜視図である。
【図４】実施の形態１の照明装置の構成の一例を示す正面図である。
【図５】センタカバーの取付箇所の要部を示す外観斜視図である。
【図６】センタカバーの取付箇所の要部を示す側面図である。
【図７】照明装置をアンカーボルトに取り付けた状態を示す模式図である。
【図８】本実施の形態の照明装置の筐体の配置の他の例を示す背面図である。
【図９】実施の形態２の照明装置の構成の一例を背面側から見た外観斜視図である。
【図１０】実施の形態２の照明装置の構成の一例を正面側から見た外観斜視図である。
【発明を実施するための形態】
【００１５】
（実施の形態１）
以下、本発明をその実施の形態を示す図面に基づいて説明する。図１は実施の形態１の照明装置１００の構成の一例を背面側から見た外観斜視図であり、図２は実施の形態１の照明装置１００の構成の一例を正面側から見た外観斜視図であり、図３は実施の形態１の照明装置１００の構成の一例を示す分解斜視図であり、図４は実施の形態１の照明装置１００の構成の一例を示す正面図である。図１乃至図４に示すように、照明装置１００は、本体１０、電源部２０、光拡散性を有する透光カバー３０、センタカバー３１、フレーム３２などを備える。
【００１６】
本体１０は、金属製（例えば、アルミニウム製）であって矩形状（例えば、正方形、長方形など）の固定板１１、固定板１１の縁辺（４辺）に設けられた側板１２などを有する。固定板１０の中央部には、適長離隔し、天井裏等に固定されたアンカーボルト１（吊下部材）に締結して取り付けるための一対の取付孔２、２を形成してある。図１では、各取付孔２を結ぶ仮想直線を符号Ｌで示している。
【００１７】
固定板１１の裏面（背面）には、抑制部としての電源部２０を取り付けてある。電源部２０は、後述のＬＥＤ４１に所要の電力を供給するための電源回路２２、電源回路２２を収容する直方体状であって金属製の筐体２１などを備える。なお、電源回路２２には、ＬＥＤ４１の調光機能、調色機能を具備してもよい。また、筐体２１は、アンカーボルト１をナット（不図示）で締め付け、本体１０に固定した状態で固定板１１に作用する締結力に対して、固定板１１の撓みを抑制することができる程度の強度を有するもの（例えば、十分な強度を発揮する程度の板厚のもの）を使用することができる。
【００１８】
筐体２１（電源部２０）の長さは、側板１２と略同じ長さを有する。また、筐体２１（電源部２０）の長手方向（図１の符号Ｍで示す仮想直線）は、各取付孔２を結ぶ仮想直線Ｌと略直交させてある。なお、略直交とは、９０度±取付誤差角度の範囲を含むが、電源部２０の配置に何らかの制限がある場合には、仮想直線ＬとＭとが４５度程度の角度をなすように電源部２０を取り付けることもできる。また、図１に示すように、電源部２０は、各取付孔２の間に設けられている。
【００１９】
図３、図４に示すように、固定板１１の中央部には、各取付孔２が形成された固定板１１の一部、仮想直線Ｌの方向に平行であって固定板１１の表面（正面）に対向させて設けられた抑制部材５１、５２で画定される配線領域（空間）５０を設けている。
【００２０】
配線領域５０には、商用電源からの電源線、電源部２０への配線を接続する接続端子５３を設けている。また、配線領域５０は、固定板１１の取付孔２を挿通させたアンカーボルト１を固定するためのナットを締めるための作業用空間でもある。配線領域５０の端側には、センタカバー３１を引掛けるためのバネ５４、バネ５４を支持するバネ受け５５を設けている。
【００２１】
図３、図４に示すように、固定板１１の表面（正面）には、配線領域５０を間にして両側にそれぞれ２枚の基板４０を固定してある。基板４０には、複数の光源としてのＬＥＤ４１を実装してある。ＬＥＤ４１は、例えば、昼光色のＬＥＤであるが、他の発光色であってもよい。また、複数色のＬＥＤを混在させることもできる。
【００２２】
基板４０は、例えば、鉄、アルミニウム等の金属製であり、ＬＥＤ４１からの熱を固定板１１に伝導する熱伝導体を兼ねている。また、基板４０の表面には、反射性塗装（例えば、白色塗装）などの反射処理を施してある。これにより、ＬＥＤ４１からの光を基板４０の表面で反射させて透光カバー３０の方へ導くことができ、光の放射効率を高めることができる。なお、基板４０の枚数は４枚に限定されるものではない。
【００２３】
センタカバー３１は、配線領域５０の平面視と同程度の大きさを有する矩形状をなし、センタカバー３１の両端には、適長の突起部３１１を形成してある。
【００２４】
配線領域５０へのアクセスは、センタカバー３１を取り外すことにより行うことができ、照明装置１００のアンカーボルト１への取り付け、配線作業が終了した後、センタカバー３１を取り付けることにより、配線領域５０を隠すことができる。
【００２５】
次に、センタカバー３１の取付箇所について説明する。図５はセンタカバー３１の取付箇所の要部を示す外観斜視図であり、図６はセンタカバー３１の取付箇所の要部を示す側面図である。抑制部材５１、５２それぞれの長手方向の端部が当接する側板１２の照射方向側の端面１２ａの中央部には、センタカバー保持部材１３を固定してある。センタカバー保持部材１３は、側板１２の端面１２ａにスポット溶接又はねじ留め等の手段で固定することができる。
【００２６】
センタカバー保持部材１３は、両端側に側板１２に当接する当接部１３１、中央部に当接部１３１から適長の段差により端面１２ａとの間に後述の隙間１３４を設けた保持部１３２を有する。センタカバー保持部材１３を側板１２に固定した状態で、側板１２の端面１２ａと保持部１３２との間には、センタカバー３１の突起部３１１を挿入することができる程度の隙間１３４が形成される。また、保持部１３２の上面には、フレーム３２が当接した状態で取り付けられる。
【００２７】
照明装置１００は、比較的薄型であり、外形寸法も比較的大きいため、照明装置１００をアンカーボルト１に固定する際に、作業者はフレーム３２と固定板１１とを指で挟んで照明装置１００を持つ。この場合に、作業者が加えた力でフレーム３２が側板１２の端面１２ａの方へ付勢され、フレーム３２が湾曲するおそれがある。フレーム３２が湾曲すると、フレーム３２と側板１２の端面１２ａとの間の隙間が小さくなり、センタカバー３１の突起部３１１を当該隙間に挿入することができなくなる。しかし、本実施の形態では、作業者がフレーム３２と固定板１１とを指で挟んで照明装置１００を持った場合でも、センタカバー保持部材１３が、フレーム３２の湾曲を防止して隙間１３４を維持することができるので、センタカバー３１が取り付けられないという事態を防止することができる。
【００２８】
次に、本実施の形態による本体１０の撓みを抑制する点について説明する。図７は照明装置をアンカーボルト１に取り付けた状態を示す模式図である。図７Ａは、比較例として従来の照明装置２００の取付状態を示し、図７Ｂは本実施の形態の照明装置１００の取付状態を示す。また、図７において、アンカーボルト１は２個あり、図７は２個のアンカーボルト１が重なった状態に見える位置から照明装置を描いたものである。
【００２９】
従来の照明装置２００は、天板２１１にアンカーボルト１を取り付けるための取付孔を形成してある。図７Ａに示すように、アンカーボルト１をナットで締め付けて照明装置２００を取り付けた場合、照明装置２００の天板２１１の取付孔付近のみが上方に向かって付勢されるため、天板２１１は中央部が盛り上がり、周囲部は原型を維持するので、全体として撓むことになる。また、照明装置２００の中央部が撓むことにより、フレーム２３２が湾曲し、天井５（天井面）とフレーム２３２との間に隙間（符号Ｇで示す）が生じ、外観上ユーザに違和感や不快感を与えることになる。また、天板２１１が撓むことにより、天板２１１に固定された基板（不図示）に外力が加わり、回路の断線、ＬＥＤの断線などの故障を生じる可能性がある。
【００３０】
一方、本実施の形態では、図７Ｂに示すように、アンカーボルト１を取り付けるための各取付孔を結ぶ仮想直線（図１の例で符号Ｌで示す直線）に略直交する方向に所要の寸法（例えば、側板１２の長さ）を有する筐体２１（電源部２０）を固定板１１に設けているので、アンカーボルト１をナットで締め付けて照明装置１００を取り付けた場合、固定板１１の取付孔２付近のみが上方に向かって付勢されたとしても、筐体２１が、固定板１１が撓むことを抑制するので、固定板１１、本体１０が撓むことを防止することができる。なお、所要の寸法とは、締結力による固定板１１の撓みを抑制することができる程度の寸法をいい、側板１２の長さよりも短くてもよい。また、天井５とフレーム３２との間に規定又は基準以上の隙間が生じることもない。さらには、固定板１１が撓まないので、固定板１１に取り付けた基板４０に不要な力が作用することもなく、基板４０の撓みに起因する基板４０又はＬＥＤ４１などの故障を防止することができる。
【００３１】
また、電源部２０（筐体２１）を取付孔２の間に設けているので、２つのアンカーボルト１により固定板１１に対して上方向に作用する力が最も大きく加わる箇所（領域）を、電源部２０の筐体２１で押えることができるので、固定板１１に撓みを効果的に抑制することができる。
【００３２】
また、電源部２０（筐体２１）を、固定板１１の撓みを抑制する抑制部として用いるので、別途、抑制部を設けることなく電源部２０を抑制部と兼用することができ、部品点数の削減及びコストの低減を図ることができる。また、抑制部としての電源部２０を固定板１１の裏面（天井裏側）に設けているので、本体１０は、ＬＥＤ４１を実装した基板４０を取り付けるだけの厚み（高さ）を有すればよく、本体１０の内側に電源部２０を設ける場合に比べて、照明装置をさらに薄型にすることができる。また、電源部２０を本体１０内部に収容するための空間が不要になるので、本体１０を小型化し、さらにセンタカバー３１の面積を狭くして発光面積を大きくすることが可能である。
【００３３】
また、上述の実施の形態では、複数の取付孔２を間にして対向させた状態で、取付孔２を結ぶ仮想直線Ｌの平行に固定板１１の表面に設けた第２の抑制部としての抑制部材５１、５２を備える。これにより、固定板１１に対して十字状に筐体２１と抑制部材５１、５２とを配置した構成となるので、締結力による固定板１１の撓みをさらに防止して、固定板１１の剛性を高めることができる。
【００３４】
図８は本実施の形態の照明装置１００の筐体２１の配置の他の例を示す背面図である。図８に示すように、アンカーボルト１を取り付ける取付孔２の間隔Ｄが比較的狭く、取付孔２の間に電源部２０（筐体２１）を取り付けることができない場合には、一方の取付孔２の近傍であって、仮想直線Ｌと略直交する方向（仮想直線Ｍの方向）が長手方向になるように筐体２１を配置することもできる。この場合でも、筐体２１が、固定板１１が撓むことを抑制するので、固定板１１、本体１０が撓むことを防止することができる。
【００３５】
（実施の形態２）
図９は実施の形態２の照明装置１２０の構成の一例を背面側から見た外観斜視図であり、図１０は実施の形態２の照明装置１２０の構成の一例を正面側から見た外観斜視図である。なお、図１０の例では、本体１０内部が解るように透光カバー３０、センタカバー３１、フレーム３２を省略している。上述の実施の形態１では、電源部２０が抑制部を兼ねるとともに、固定板１１の裏面に固定する構成であったが、これに限定されるものではない。
【００３６】
ＬＥＤ４１に所要の電力（電流）を供給する電源部のサイズを小型化することができる場合には、図１０に示すように、電源部７０を抑制部材５１、５２で挟まれる配線領域５０内に配置することもできる。この場合、図９に示すように、抑制部としての押え部材６０を固定板１１の裏面に仮想直線Ｌと略直交する方向（仮想直線Ｍの方向）に設けることができる。
【００３７】
すなわち、押え部材６０は、筐体２１と同様、側板１２と同程度の長さ寸法を有する。しかし、押え部材６０は、電源回路等を内蔵する必要がないので、筐体２１の幅、高さに比べて幅、高さ寸法は小さくすることができる。なお、押え部材６０は、金属板を曲げ加工して中空の箱体状にしたものでもよく、あるいは中実の棒状のものでもよい。なお、押え部材６０は、固定板１１の裏面に設けることもできるが、固定板１１の基板４０を取り付けた面（表面）側に設けることもできる。押え部材６０を固定板１１の表面に設ける場合には、基板４０間の隙間を利用してもよく、あるいは、基板４０と固定板１１との間に配置してもよい。
【００３８】
実施の形態２においても、固定板１１の取付孔２付近のみが上方に向かって付勢されたとしても、押え部材６０が、固定板１１が撓むことを抑制するので、固定板１１、本体１０が撓むことを防止することができる。
【００３９】
上述の実施の形態では、照明装置は、いわゆるスクエア形の照明装置であるが、これに限定されるものではない。また、光源としてＬＥＤを備える照明装置について説明したが、光源はＬＥＤに限定されるものではなく、ＥＬ（Electro-Luminescence）など他の光源でもよい。
【００４０】
上述の実施の形態では、アンカーボルト１の取付孔２を２個有する構成について説明したが、取付孔２の数は２個に限定されるものではなく、１個又は３個以上の場合であっても、アンカーボルト１に固定板１１を固定することにより、締結力により固定板１１が撓む可能性がある場合には、固定板１１が上方に撓む箇所に対して抑制部を設けることができる。
【符号の説明】
【００４１】
１  アンカーボルト
２  取付孔
１０  本体
１１  固定板
１２  側板
２０、７０  電源部
２１  筐体
２２  電源回路
３０  透光カバー
３１  センタカバー
３２  フレーム
４０  基板
４１  ＬＥＤ
５０  配線領域
５１、５２  抑制部材
６０  押え部材
【図１】
2014089882.tif 000003
【図２】
2014089882.tif 000004
【図３】
2014089882.tif 000005
【図４】
2014089882.tif 000006
【図５】
2014089882.tif 000007
【図６】
2014089882.tif 000008
【図７】
2014089882.tif 000009
【図８】
2014089882.tif 000010
【図９】
2014089882.tif 000011
【図１０】
2014089882.tif 000012